(57)【要約】【課題】洗面ボウルの下方でレリーズワイヤの配設空間を大きく取ることなく、かつ、作業性よく施工できるポップアップ排水機構を提供する。【解決手段】アウターケーシング１２を合成樹脂でインナーケーブル１１を金属で形成されたレリーズワイヤ１を用い、洗面化粧台のバックガード２内に設けられた操作部３に応動するインナーケーブル１１によってケレップ７を開閉させる排水機構であって、上記インナーケーブル１１は、挿通孔４２が内設された操作用連結ブロック４を挿通するとともに、その一端部１１１が上記操作用連結ブロック４の側面開口部４１で上記操作部３に連結され、底面開口部４３で上記アウターケーシング１２に被覆、延設されてなる。【選択図】図１
2006057339.tif 000002
【特許請求の範囲】
【請求項１】
アウターケーシングを合成樹脂でインナーケーブルを金属で形成されたレリーズワイヤを用い、洗面化粧台のバックガード内に設けられた操作部に応動するインナーケーブルによってケレップを開閉させる排水機構であって、上記インナーケーブルは、挿通孔が内設された操作用連結ブロックを挿通するとともに、その一端部が上記操作用連結ブロックの側面開口部で上記操作部に連結され、底面開口部で上記アウターケーシングに被覆、延設されてなるポップアップ排水機構。
【請求項２】
上記レリーズワイヤが排水用連結ブロックの側面開口部に接続されるとともに、インナーケーブルのみが排水用連結ブロックに内設された挿通孔を挿通し、上記インナーケーブルの他端部が上記排水用連結ブロックの上面開口部から突出して上記ケレップを開閉する開閉ロッドに連結されてなる請求項１に記載のポップアップ排水機構。
【請求項３】
上記操作用連結ブロックおよび排水用連結ブロックが硬質合成樹脂からなる請求項１に記載のポップアップ排水機構。
【請求項４】
上記アウターケーシングの合成樹脂が軟質合成樹脂であるとともに、インナーケーブルの金属がステンレススティールである請求項１に記載のポップアップ排水機構。
【発明の詳細な説明】
【技術分野】
【０００１】
本発明は、洗面化粧台の排水機構に関する。さらに詳しくは、操作摘みの押し引きに応動するインナーケーブルによりケレップを開閉させ、洗面ボウルに設けられた排水口を開閉するポップアップ排水機構に関する。
【背景技術】
【０００２】
従来、上記洗面ボウルの排水口を開閉するケレップを押し上げて排水するポップアップ排水機構に関しては種々の先行技術が知られており、例えば、下記文献をあげることができる。
【特許文献１】特開平７−２２４４５１号公報（第１−３頁、第１図）
【発明の開示】
【発明が解決しようとする課題】
【０００３】
上記特許文献１には、アウターケーシングを合成樹脂で、インナーケーブルを金属でそれぞれ形成されたレリーズワイヤを用いる技術が開示され、その図１に示された実施例から明らかなように、レリーズワイヤが大きく屈曲して配設されている。そのため、洗面ボウル下方の収納空間に上記レリーズワイヤが張り出し、空間を有効に利用して小物等を収納することが困難であるという問題がある。さらに、洗面ボウルのカウンターから立ち上がって設けられたバックガードに操作摘みを凸設するようにデザインするときは、上記バックガードの幅を大きく取れないため、レリーズワイヤをバックガードの裏面の空間に収めることが難しいという問題もある。本発明はこのような問題を解決して、レリーズワイヤの配設空間を大きく取ることなく小さな曲率半径で、かつ、作業性よく施工できるポップアップ排水機構を提供することを、その課題とする。
【課題を解決するための手段】
【０００４】
上記課題を解決するために、本発明においては、つぎのような技術的手段を講じている。すなわち、本発明によれば、アウターケーシングを合成樹脂で、インナーケーブルを金属で形成されたレリーズワイヤを用い、洗面化粧台のバックガード内に設けられた操作部に応動するインナーケーブルによってケレップを開閉させる排水機構であって、上記インナーケーブルは、挿通孔が内設された操作用連結ブロックを挿通するとともに、その一端部が上記操作用連結ブロックの側面開口部で上記操作部に連結され、底面開口部で上記アウターケーシングに被覆、延設されてなるポップアップ排水機構が提供される。
【０００５】
さらに、上記レリーズワイヤが排水用連結ブロックの側面開口部に接続されるとともに、インナーケーブルのみが上記排水用連結ブロックに内設された挿通孔を挿通し、上記インナーケーブルの他端部が上記排水用連結ブロックの上面開口部から突出して上記ケレップを開閉する開閉ロッドに連結されてなることが好ましい。
【０００６】
上記操作用連結ブロックおよび排水用連結ブロックが硬質合成樹脂からなることが好ましい。硬質合成樹脂としては、例えば、硬質塩化ビニル樹脂をあげることができる。
【０００７】
上記アウターケーシングの合成樹脂が軟質合成樹脂であるとともに、インナーケーブルの金属がステンレススティールであることが好ましい。軟質合成樹脂としては、例えば、軟質塩化ビニル樹脂が、金属としてはステンレススティールが好適に用いられる。
【発明の効果】
【０００８】
請求項１に記載の発明は上記のとおりであり、レリーズワイヤを構成するインナーケーブルは、挿通孔が内設された操作用連結ブロックを挿通するとともに、その一端部が上記操作用連結ブロックの側面開口部で上記操作部に連結され、底面開口部でアウターケーシングに被覆、延設されてなるため、インナーケーブルは上記ブロックに内設された挿通孔にしたがい、Ｒ部を形成して略直角方向に屈曲し、大きな曲率半径をとることなく、洗面化粧台のバックガード裏面の狭い空間内に容易に収めることができる。
【０００９】
さらに、上記レリーズワイヤが排水用連結ブロックの側面開口部に接続され、インナーケーブルのみが排水用連結ブロックに内設された挿通孔を挿通し、その他端部が上記排水用連結ブロックの上面開口部から突出して上記ケレップを開閉する開閉ロッドに連結されるため、レリーズワイヤが大きな曲率半径で湾曲することなく、コンパクトに洗面ボウルの下方に収められ、排水管から下方のスペースを収納空間として有効に利用できる。また、施工の際に床面上に仮置きしても、硬質材からなる排水用連結ブロックが床面に接触して、レリーズワイヤが直接接触することがないため、レリーズワイヤの腰折れ等を防ぎ、作業性よく施工できる。
【００１０】
上記操作用連結ブロックおよび排水用連結ブロックを硬質合成樹脂から形成することにより、軽量でかなりの強度が得られ、また、内設した挿通孔と金属からなるインナーケーブルとの滑り性もよいため、操作部の動きをインナーケーブルを介してスムースにケレップに伝えることができる。
【００１１】
上記レリーズワイヤのアウターケーシングとして軟質合成樹脂を、インナーケーブルとしてステンレススティールを用いることにより、耐久性のあるレリーズワイヤを安価に入手することができる。
【発明を実施するための最良の形態】
【００１２】
以下、洗面化粧台に本発明のポップアップ排水機構を適用した実施形態について図面を参照して、詳細に説明する。図１は、上記ポップアップ排水機構の第一実施形態の要部を示す側断面図である。図１において、アウターケーシング１２を軟質合成樹脂で形成しインナーケーブル１１をステンレススティールで形成されたレリーズワイヤ１は、操作用連結ブロック４に内設された挿通孔４２にしたがってＲ部を形成し、大きな曲率半径をとることなく略直角方向に屈曲し、収められる。
【００１３】
図１からよくわかるように、洗面化粧台のバックガード２の立ち上がり操作面２１には操作部３を構成する操作摘み３１が設けられ、この操作摘み３１に連設された操作シャフト３２はバックガード２の裏面に突出するとともに、保護管３３で保護され、操作用連結ブロック４の側面開口部４１で上記インナーケーブル１１の一端部１１１に連結される。一方、操作用連結ブロック４の挿通孔４２を挿通したインナーケ−ブル１１は操作用連結ブロック４の底面開口部４３でアウターケーシング１２に被覆、延設され、後記ケレップを開閉する開閉ロッドに連結される。
【００１４】
図２は、上記ポップアップ排水機構の第二実施形態の要部を示す側断面図であり、アウターケーシング１２で被覆されたインナーケーブル１１は、排水用連結ブロック５の側面開口部５１からインナーケーブル１１のみが挿通孔５２に挿通し、他端部１１２は上記排水用連結ブロック５の上面開口部５３から突出してケレップ７を上下動させて排水口８１を開閉する開閉ロッド６に連結される。図２からよくわかるように、ケレップ７は、洗面ボウル８の排水口８１に開閉自在に装着され、排水は排水管９に流される。なお、符号９１はオーバーフロー管を示す。
【００１５】
図３は、上記第一、第二実施形態を適用して構成された洗面化粧台の要部を示す部分側断面図である。レリーズワイヤ１が大きな曲率半径で湾曲することなく、コンパクトに洗面ボウル８の下方に収められ、排水管９から下方のスペースを収納空間として有効に利用でき、かつ、バックガード２の立ち上がり操作面２１に操作摘み３１が使い勝手よく、デザイン性よく設けられていることが明らかである。また、図４に示すように、上記洗面化粧台を取り付け施工する際に床面上に仮置きしても、硬質材からなる排水用連結ブロック５が床面に接触して、レリーズワイヤ１が直接床面に接触することがなく、レリーズワイヤ１の腰折れ等を防ぎ、作業性よく施工できることが明らかである。
【図面の簡単な説明】
【００１６】
【図１】本発明のポップアップ排水機構の第一実施形態の要部を示す側断面図である。
【図２】本発明のポップアップ排水機構の第二実施形態の要部を示す側断面図である。
【図３】上記第一、第二実施形態を適用して構成された洗面化粧台の要部を示す部分側断面図である。
【図４】本発明にかかる洗面化粧台を床面上に仮置きした状態を示す説明図である。
【符号の説明】
【００１７】
１          レリーズワイヤ
１１        インナーケーブル
１１１      上記の一端部
１１２      上記の他端部
１２        アウターケーシング
２          バックガード
２１        立ち上がり操作面
３          操作部
３１        操作摘み
３２        操作シャフト
３３        保護管
４          操作用連結ブロック
４１        側面開口部
４２        挿通孔
４３        底面開口部
５          排水用連結ブロック
５１        側面開口部
５２        挿通孔
５３        上面開口部
６          開閉ロッド
７          ケレップ
８          洗面ボウル
８１        排水口
９          排水管
９１        オーバーフロー管
【図１】
2006057339.tif 000003
【図２】
2006057339.tif 000004
【図３】
2006057339.tif 000005
【図４】
2006057339.tif 000006